(57)【要約】【課題】外部から水が浸入して収容物を濡らすことのない防水ケースを提供すること。【解決手段】上面が開口した四角箱状の本体部１０と、本体部１０の開口部を上部から覆って閉塞する蓋部３０とからなる防水ケースＢを、一体からなる段ボール２０で組み立てた。そして、底面部１１の各側面を構成する前側面部１２等の隣接する二つの側面部の角部に、二つ折にされながら本体部１０の内部側に折り曲げられる折込部１８等をそれぞれ設け、その折り曲げ部の稜線に沿って、切込部１８ｂ等を設けた。また、本体部１０が組み立てられる際に、折込部１８等を覆うようにして本体部１０の内部側に折り曲げられて、折込部１８等を側面部１４等側に押さえ込んで本体部１０の組立形状を維持する形状維持部１６等を設けた。また、蓋部３０にも、蓋折込部３６等とこれらを蓋前面部３２側に押さえ込んで蓋部３０の組立形状を維持する蓋形状維持部３５を設けた。【選択図】  図３
2004331182.tif 000002
【特許請求の範囲】
【請求項１】
上面が開口した四角箱状の本体部と、前記本体部の開口部を上方から覆って閉塞する蓋部とを一体からなるシート体を組み立てて構成した防水ケースであって、
四角形の底面部の周囲に設けられ前記本体部の側面を構成する４つの本体側面部と、
隣接する二つの本体側面部の角部にそれぞれ設けられ、前記４つの本体側面部をそれぞれ前記底面部の縁部に沿って折り曲げて立ち上げる際に、二つ折りにされて重なった状態で前記本体部の内部側に折り曲げられる４つの本体折込部と、
前記４つの本体側面部のうちの所定の本体側面部の上端縁部側に形成され、組み立てることにより前記蓋部を構成する蓋形成部と、
前記所定の本体側面部の両側に位置する二つの本体側面部の上端縁部側にそれぞれ形成され、前記本体部が組み立てられる際に、二つ折りにされて重なった前記本体折込部を覆った状態で前記本体部の内部側に折り曲げられて、両側に位置する本体側面部と係合することにより前記本体部の組立形状を維持する本体形状維持部と
を備えたことを特徴とする防水ケース。
【請求項２】
前記本体折込部が二つ折りにされるときに、折線部となる部分の稜線に沿って、溝状の切込部を設けた請求項１に記載の防水ケース。
【請求項３】
前記本体折込部における二つ折りにされるときに折線部となる部分を挟んで前記本体形状維持部側に位置する部分が他方の部分よりも小さくなるように設定して、前記本体折込部が前記本体形状維持部側の本体側面部に沿うようにした請求項１または２に記載の防水ケース。
【請求項４】
前記蓋形成部を、
前記所定の本体側面部の上端縁部側に形成された天井部と、
前記天井部における前記所定の本体側面部と対向する縁部側に形成された蓋前面部と、
前記天井部の両側の縁部側にそれぞれ形成された二つの蓋側面部と、
前記二つの蓋側面部における前記蓋前面部側の縁部側にそれぞれ延長して設けられ、前記蓋前面部と前記二つの蓋側面部とをそれぞれ前記天井部の縁部に沿って内面側に折り曲げる際に、前記蓋前面部の内面に沿って折り込まれる蓋折込部と、
前記蓋前面部における前記天井部と対向する縁部側に形成され、前記蓋前面部と前記二つの蓋側面部とをそれぞれ前記天井部の縁部に沿って内面側に折り曲げる際に、前記蓋折込部を覆った状態で前記蓋前面部の内面側に折り曲げられて、両側に位置する蓋側面部と係合することにより前記蓋部の組立形状を維持する蓋形状維持部と
で構成し、これらを組み立てることにより、前記二つの蓋側面部および前記蓋形状維持部とが前記本体部の外側面側に位置した状態で前記本体部を閉塞する前記蓋部が形成される請求項１ないし３のうちのいずれか一つに記載の防水ケース。
【請求項５】
前記シート体を段ボールで構成した請求項１ないし４のうちのいずれか一つに記載の防水ケース。
【発明の詳細な説明】
【０００１】
【発明の属する技術分野】
本発明は、防水機能を備えた防水ケースに関する。
【０００２】
【従来の技術】
従来から、書類、野菜、果物、菓子等の種々のものを収容するために組立箱が用いられている。このような組立箱は、工場で専用の機械を用いて大量に生産されており、まず、大きな箱用材料、例えば、段ボールを準備し、これを打ち抜き加工等により組立箱の展開図の形状に切断するとともに、折り曲げる部分に破線状の切断線、溝状の切込部または線状の圧痕をつけている。そして、この展開形状の段ボールの糊代部を所定部分に接着し、切断線等からなる折線部に沿って各部分を所定方向に折り曲げることによって、段ボールを箱状に組み立てている（例えば、特許文献１）。
【０００３】
【特許文献１】
特開２００２−１２８０６９号公報
【０００４】
【発明が解決しようとする課題】
しかしながら、この組立箱は、箱状に組み立てる前の展開状態の材料では側面を構成する４つの側面部を横一列に連ねて構成し、各側面部間の折線部を折り曲げて筒状にすることにより組立箱の側面を形成している。そして、両側の側面部の端部側の縁部同士は接着剤や固着具によって固定されている。また、底面部は、各側面部の下端縁部側に形成された底面形成部を組付けることによって形成されている。このため、側面部や底面部に、各部分の端部どうしが組み合わさった不連続部分が生じている。この結果、例えば、出火の際にスプリンクラーが作動してその水が組立箱にかかったときなどに、組立箱の内部に水が浸入して内部の収容物を濡らしてしまうという問題がある。
【０００５】
【発明の概要】
本発明は、上記問題に対処するためになされたもので、その目的は、外部から水が浸入して内部の収容物を濡らすことのない防水ケースを提供することである。
【０００６】
上記の目的を達成するため、本発明に係る防水ケースの構成上の特徴は、上面が開口した四角箱状の本体部と、本体部の開口部を上方から覆って閉塞する蓋部とを一体からなるシート体を組み立てて構成した防水ケースであって、四角形の底面部の周囲に設けられ本体部の側面を構成する４つの本体側面部と、隣接する二つの本体側面部の角部にそれぞれ設けられ、４つの本体側面部をそれぞれ底面部の縁部に沿って折り曲げて立ち上げる際に、二つ折りにされて重なった状態で本体部の内部側に折り曲げられる４つの本体折込部と、４つの本体側面部のうちの所定の本体側面部の上端縁部側に形成され、組み立てることにより蓋部を構成する蓋形成部と、所定の本体側面部の両側に位置する二つの本体側面部の上端縁部側にそれぞれ形成され、本体部が組み立てられる際に、二つ折りにされて重なった本体折込部を覆った状態で本体部の内部側に折り曲げられて、両側に位置する本体側面部と係合することにより本体部の組立形状を維持する本体形状維持部とを備えたことにある。
【０００７】
前記のように構成した本発明の防水ケースでは、底面部が四角形に形成されその各縁部から延長して設けられた４つの本体側面部のうちの隣接する二つの本体側面部の角部にそれぞれ本体折込部が設けられている。そして、４つの本体側面部をそれぞれ底面部の縁部に沿って折り曲げて箱状に形成する際に、本体折込部を二つ折にして重ねた状態で本体部の内部側に折り曲げるようにしている。したがって、切れ目のない平面からなる底面部から水が浸入することはない。また、各本体側面部は、本体折込部を介して連続した状態になっているため、本体部の各角部にも本体部の内部と外部とに通じる切れ目はなく、本体部の側面からも水は浸入できない。
【０００８】
また、本発明に係る防水ケースでは、蓋形成部が設けられた所定の本体側面部の両側に位置する二つの本体側面部の縁部側にそれぞれ本体形状維持部を設けている。そして、本体部を組み立てる際に、この本体形状維持部を内部側に折り曲げることにより、本体折込部を本体側面部側に押し付けた状態で覆うようにしている。したがって、本体折込部が本体部の内部で邪魔になることがない。また、この本体形状維持部は、両側の本体側面部と係合することにより本体部の組立形状を維持する。したがって、本体形状維持部の幅は、両側に位置する側面部間に押し込むことにより係合できる長さに設定する。
【０００９】
また、本発明に係る防水ケースの他の構成上の特徴は、本体折込部が二つ折りにされるときに、折線部となる部分の稜線に沿って、溝状の切込部を設けたことにある。これによると、本体折込部を折り曲げ易くなり、本体部の組立が容易になる。この場合、本体折込部は、折り曲げられて本体部の内部側に位置するようになるため、切込部は本体部の内部側の面になり、切込部が設けられていない谷線部側は外部に通じる部分となる。したがって、この防水ケースを、例えば段ボールで構成したとしても、外部に通じる谷線部側の部分は、切込部のない通常の面であるため、水の浸入を防止することができる。
【００１０】
また、本発明に係る防水ケースのさらに他の構成上の特徴は、本体折込部における二つ折りにされるときに折線部となる部分を挟んで本体形状維持部側に位置する部分が他方の部分よりも小さくなるように設定して、本体折込部が本体形状維持部側の本体側面部に沿うようにしたことにある。これによると、本体部を組み立てた際に、本体折込部が自然に対応する本体側面部の内面に沿うようになるため、本体形状維持部で本体折込部を押さえ付ける必要がなくなる。これによって、本体部の形状を安定した状態で維持できるようになる
【００１１】
本発明に係る防水ケースのさらに他の構成上の特徴は、蓋形成部を、所定の本体側面部の上端縁部側に形成された天井部と、天井部における所定の本体側面部と対向する縁部側に形成された蓋前面部と、天井部の両側の縁部側にそれぞれ形成された二つの蓋側面部と、二つの蓋側面部における蓋前面部側の縁部側にそれぞれ延長して設けられ、蓋前面部と二つの蓋側面部とをそれぞれ天井部の縁部に沿って内面側に折り曲げる際に、蓋前面部の内面に沿って折り込まれる蓋折込部と、蓋前面部における天井部と対向する縁部側に形成され、蓋前面部と二つの蓋側面部とをそれぞれ天井部の縁部に沿って内面側に折り曲げる際に、蓋折込部を覆った状態で蓋前面部の内面側に折り曲げられて、両側に位置する蓋側面部と係合することにより蓋部の組立形状を維持する蓋形状維持部とで構成し、これらを組み立てることにより、二つの蓋側面部および蓋形状維持部とが本体部の外側面側に位置した状態で本体部を閉塞する蓋部が形成されることにある。
【００１２】
これによると、蓋部を組み立てた際には、蓋側面部の縁部側に設けられた蓋折込部が蓋前面部の内面に沿って折り曲げられるため蓋部の側面と前面との間が切れ目のない連続した部分になる。そして、その状態の蓋折込部を蓋形状維持部を折り曲げて覆うようになっている。このため、蓋部の角部から水が浸入することが無くなる。また、蓋部は、蓋側面部と蓋形状維持部とを本体部の外側面側に位置させた状態で本体部の上面開口部を覆うため、本体部と蓋部との間から水が内部に浸入することもない。
【００１３】
さらに、蓋部は、蓋形状維持部で蓋折込部を蓋前面部側に押さえ付けた状態で蓋形状維持部を両側の蓋側面部に係合させることにより組立形状を維持するようになっている。したがって、蓋形状維持部の幅は、両側に位置する蓋側面部間に押し込むことにより係合できる長さに設定する。このように、本発明に係る防水ケースは、本体部、蓋部ともに、接着剤や固着具を用いることなく組み立てられるため、組立作業が極めて簡単になる。また、本発明の防水ケースを構成する材料はシート体だけですむため、この防水ケースを廃棄する場合や、リサイクルする場合等に各材料ごとに分別する手間が不要になる。
【００１４】
本発明に係る防水ケースのさらに他の構成上の特徴は、シート体を段ボールで構成したことにある。これによると、防水ケースを安価に、かつ容易に製造することができる。
【００１５】
【発明の実施の形態】
以下、本発明の一実施形態を図面を用いて説明する。図１および図２は、本発明に係る防水ケースＢを示している。この防水ケースＢは、書類を収容するためのものであり、上面が開口した四角箱状の本体部１０と、本体部１０の開口部を開閉するための蓋部３０とで構成されている。本体部１０の底面部１１は平面からなる長方形に形成されており、本体部１０の側面は、底面部１１の長手方向に沿って相対向して設けられた前面部１２および後面部１３と、他の方向に沿って相対向して設けられた幅の短い側面部１４，１５とで構成されている。この前面部１２、後面部１３、側面部１４，１５とで本発明の４つの本体側面部が構成される。
【００１６】
そして、側面部１４，１５の内面側には、側面部１４，１５の上端縁部から延長して形成され、その上端縁部に沿って本体部１０の内部側に折り曲げられた本発明の本体形状維持部としての形状維持部１６，１７がそれぞれ配置されている。また、側面部１４，１５と形状維持部１６，１７との間には、それぞれ対応する本発明の本体折込部としての折込部１８，１９，２１，２２（図３参照）が配置されている。
【００１７】
蓋部３０は、後面部１３の上端縁部に連なって形成されており、天井部３１、蓋前面部３２および蓋側面部３３，３４を備えている。天井部３１は底面部１１よりも大きな四角形の平面に形成され、蓋側面部３３，３４は、前部側の幅（高さ）が大きく後部側の幅が徐々に小さくなり、図１の状態での後端部側部分の下端縁部は円弧状になって後端部で上端縁部と交わっている。そして、蓋前面部３２の内面側には、蓋前面部３２の下端縁部（図１の状態）から延長して形成され、その下端縁部に沿って蓋部３０の内部側に折り曲げられた蓋形状維持部３５が押し込まれている。また、蓋前面部３２と形状維持部３５との間には、蓋折込部３６，３７（図３参照）が挟み込まれている。
【００１８】
図３は、防水ケースＢを展開した状態を示しており、防水ケースＢは、１枚で構成される段ボール２０を所定箇所で折り曲げて組み立てることにより、図１および図２に示した箱状になる。すなわち、図３に示すように、本体部１０を構成する各部分は、形状維持部１６，側面部１４，底面部１１，側面部１５および形状維持部１７の順に横方向に連なって形成され、底面部１１の前部に前面部１２が形成され、底面部１１の後部に後面部１３が形成されている。形状維持部１６，１７は、それぞれ側面部１４，１５側部分の幅がやや小さく、端部側に近づくほど徐々に広がるようになって、端部の幅が側面部１４，１５の幅と略等しくなるように設定されている。
【００１９】
そして、前面部１２と側面部１４との角部に折込部１８、前面部１２と側面部１５との角部に折込部１９、後面部１３と側面部１４との角部に折込部２１、後面部１３と側面部１５との角部に折込部２２がそれぞれ形成されている。折込部１８，１９，２１，２２は、すべて同形に形成されており、正方形に形成された平面の外側の角部にそれぞれ縁部がＬ字状になった切欠き部１８ａ，１９ａ，２１ａ，２２ａが設けられた形状になっている。
【００２０】
この切欠き部１８ａ等においては、折込部１８等における切欠き部１８ａ等の両側の各縁部の長さが、側面部１４，１５の幅の長さの半分よりもやや小さくなるように設定されて、本体部１０が組み立てられた際に、各折込部１８等の先端部どうしが重ならないようになっている。そして、段ボール２０の内面（図３で示した面）における切欠き部１８ａ，１９ａ，２１ａ，２２ａの角部から底面部１１の角部の間にそれぞれ溝状の切込部１８ｂ，１９ｂ，２１ｂ，２２ｂが設けられている。この切込部１８ｂ等の深さは、段ボール２０の厚みの略半分程度に設定されている。また、折込部１８等における切込部１８ｂ等よりも側面部１４，１５側に位置する部分は他の部分よりもやや小さく設定されている。
【００２１】
そして、各面を構成する部分の境界線にはそれぞれ圧痕からなる折線部が形成されている。すなわち、底面部１１には、前面部１２との間に折線部１１ａ、後面部１３との間に折線部１１ｂ、側面部１４との間に折線部１１ｃ、側面部１５との間に折線部１１ｄが設けられている。また、前面部１２と折込部１８との間には折線部１２ａ、前面部１２と折込部１９との間には折線部１２ｂ、後面部１３と折込部２１との間には折線部１３ａ、後面部１３と折込部２２との間には折線部１３ｂが設けられ、側面部１４と折込部１８との間には折線部１４ａ、側面部１４と折込部２１との間には折線部１４ｂ、側面部１５と折込部１９との間には折線部１５ａ、側面部１５と折込部２２との間には折線部１５ｂが設けられている。
【００２２】
そして、側面部１４と形状維持部１６との間には、２本の破線状の切断部１６ａ，１６ｂが間隔を保って設けられ、側面部１５と形状維持部１７との間には、２本の破線状の切断部１７ａ，１７ｂが間隔を保って設けられている。これらの切断部１６ａ，１６ｂ，１７ａ，１７ｂは、一定間隔で断続的に設けられた切り込み線からなっており、切断部１６ａ，１６ｂ間および切断部１７ａ，１７ｂ間の間隔は、それぞれ段ボール２０の厚みの２倍よりもやや大きな幅に設定されている。
【００２３】
蓋部３０は、天井部３１、蓋前面部３２、蓋側面部３３，３４、蓋形状維持部３５および蓋折込部３６，３７で構成されている。天井部３１は、折線部１３ｃを介して後面部１３の上端縁部側に設けられており，天井部３１の両側にはそれぞれ蓋側面部３３，３４が設けられ、天井部３１の前端縁部側（図３の状態では上端縁部側）には蓋前面部３２が設けられている。そして、蓋側面部３３，３４のそれぞれ幅広側の縁部側に長方形の蓋折込部３６，３７が延長して設けられ、蓋前面部３２の下端縁部（図３では上端縁部）側に長方形の蓋形状維持部３５が設けられている。
【００２４】
蓋折込部３６，３７はそれぞれ対応する蓋側面部３３，３４と連なっており、蓋前面部３２とは切り離されている。また、蓋形状維持部３５の幅（横方向の長さ）は、蓋前面部３２側部分がやや小さく、端部側に近づくにしたがって徐々に大きくなり、端部の幅は、蓋前面部３２の幅と略等しくなるように設定されている。蓋折込部３６，３７の幅は、それぞれ対応する蓋側面部３３，３４側部分が、蓋側面部３３，３４の幅広部と同じで、先端側部分がやや小さくなっている。
【００２５】
そして、各面を構成する部分の境界線にはそれぞれ圧痕からなる折線部が形成されている。すなわち、天井部３１には、側面部３３との間に折線部３１ａ、側面部３４との間に折線部３１ｂ、蓋前面部３２との間に折線部３１ｃが設けられている。また、側面部３３と蓋折込部３６との間には折線部３３ａ、側面部３４と蓋折込部３７との間には折線部３４ａが設けられている。
【００２６】
そして、蓋前面部３２と蓋形状維持部３５との間には、２本の破線状の切断部３５ａ，３５ｂが間隔を保って設けられている。この切断部３５ａ，３５ｂは、一定間隔で断続的に設けられた切り込み線からなっており、切断部３５ａ，３５ｂ間の間隔は、段ボール２０の厚みよりもやや大きな幅に設定されている。このように構成された段ボール２０を、所定の順序で折り曲げながら組み立てることにより防水ケースＢが形成される。
【００２７】
つぎに、防水ケースＢの製造方法について説明する。この製造においては、まず、防水ケースＢを製造するための段ボールとして、段ボール２０の外郭部分を囲うことのできる長方形の段ボールを複数枚準備する。つぎに、この段ボールを、印刷装置、切断装置およびコンベア等を備えた製造ライン（図示せず）の入口に設置して、製造ラインの各装置を駆動させる。これによって、段ボールは、まず、印刷装置に搬送され印刷装置によって、防水ケースＢの表面部を構成する各面に所定の模様や文字が印刷される。つぎに、切断装置によって、切断されて段ボール２０の形状になる。
【００２８】
この切断は、ロール状に形成された回転体の周面に段ボール２０の輪郭形状に形成された刃部を取り付け、この回転体を回転させながら印刷済みの段ボールを印刷装置から順次送り、回転体の刃部を段ボールに押し付けることにより行う。この場合、蓋折込部３６と蓋前面部３２との間および蓋折込部３７と蓋前面部３２との間も切断する。
【００２９】
また、段ボール２０の折線部１１ａ〜１１ｄ，１２ａ，１２ｂ，１３ａ〜１３ｃ，１４ａ，１４ｂ，１５ａ，１５ｂ，３１ａ〜３１ｃ，３３ａ，３４ａに対応する回転体の周面には、押圧用の突部が形成されており、その突部で段ボールを押圧することにより圧痕からなる折線部１１ａ等が形成される。さらに、切込部１８ｂ，１９ｂ，２１ｂ，２２ｂに対応する回転体の周面には輪郭形成用の刃部よりも突出量の少ない刃部が形成されており、その刃部を段ボールに押し付けることにより深さが浅い溝状の切込部１８ｂ等が形成される。そして、切断部１６ａ，１６ｂ，１７ａ，１７ｂ，３５ａ，３５ｂに対応する回転体の周面には櫛歯状の突起からなる刃部が形成されており、その刃部を段ボールに押し付けることにより切断部１６ａ等が形成される。
【００３０】
これによって、段ボールは、図３に示した段ボール２０の形状に形成され、この段ボール２０は、順次積層した状態で束ねて保管するか、そのまま組み立てて箱状にする。なお、段ボール２０の表面に施す印刷は、必要に応じて行い、不要な場合は前述した印刷工程は省略する。
【００３１】
段ボール２０の組み立ては手作業によって行われ、まず、図３の状態から、切込部１８ｂ，１９ｂ，２１ｂ，２２ｂを上方に持ち上げるようにして、折線部１２ａ，１２ｂ，１３ａ，１３ｂ，１４ａ，１４ｂ，１５ａ，１５ｂの部分を折り曲げるとともに、折線部１１ａ〜１１ｄの部分を折り曲げて図４の状態にする。この場合、説明の便宜上、折線部１３ｃを折り曲げて蓋部３０を平面で示した状態を図示している。
【００３２】
そして、前述した切込部１８ｂ等および折線部１２ａをさらに折り曲げて図５の状態にする。この状態では、折込部１８等は切込部１８ｂ等を境にして二つ折にされて重なった状態で、側面部１４，１５（図５では形状維持部１６，１７の下方に位置している。）の内面側に沿った状態になっている。これは、折込部１８等における切込部１８ｂ等よりも側面部１４，１５側に位置する部分が他の部分よりも小さく設定されているため、大きな部分が小さな部分を覆うようにして押して側面部１４，１５に沿うためである。
【００３３】
つぎに、切断部１６ａ，１６ｂ，１７ａ，１７ｂに沿って、形状維持部１６，１７を折り曲げて図６の状態にする。この場合、形状維持部１６，１７の端部側はやや幅広に形成されているため、形状維持部１６，１７は前面部１２と後面部１３との内面を擦りながら底面部１１側に押し込まれ、二つ折りになった折込部１８等を側面部１４，１５側に押圧した状態で側面部１４，１５に沿った状態を維持する。これによって、本体部１０が箱状に維持される。
【００３４】
ついで、折線部３１ａ，３１ｂに沿って、蓋側面部３３，３４を図示の上方側に折り曲げるとともに、折線部３３ａ，３４ａに沿って、蓋折込部３６，３７を内部側に折り曲げて図７の状態にする。そして、折線部３１ｃに沿って、蓋前面部３２および蓋形状維持部３５を図示の上方側に折り曲げるとともに、切断部３５ａ，３５ｂに沿って蓋形状維持部３５を蓋前面部３２の内面側に折り曲げて図８の状態にする。これによって、図２に示した防水ケースＢが出来上がる。
【００３５】
この状態では、蓋形状維持部３５は、蓋折込部３６，３７を蓋前面部３２の内面に沿わせた状態で蓋側面部３３，３４間に差し込まれており、これによって、蓋部３０が型崩れすることなく組み立てられた状態を維持する。この場合も、蓋形状維持部３５の端部側の幅がやや幅広に形成されているため、蓋形状維持部３５は蓋側面部３３，３４の内面を擦りながら天井部３１側に押し込まれる。このようにして、組み立てられた防水ケースＢ内には、書類等、水に濡れることによって支障が生じるものが収容される。また、書類等の収容物を入れた本体部１０の上面開口部は、蓋部３０によって閉塞され、この場合、蓋部３０の蓋側面部３３，３４、蓋前面部３２および蓋形状維持部３５は、本体部１０の外側面における上部側部分を囲んで、図１の状態になる
【００３６】
以上のように、本実施形態に係る防水ケースＢでは、本体部１０の底面と側面とを構成する底面部１１、前面部１２、後面部１３および側面部１４，１５が切れ目なく連続した一体の段ボールによって形成されている。また、前面部１２、後面部１３および側面部１４，１５の各接続部分には、折込部１８等が設けられて、側面にも切れ目が生じないようにしている。したがって、本体部１０は袋状の箱に形成され上面部を除く外部から水が浸入することがない。
【００３７】
形状維持部１６，１７と側面部１４，１５の間には、切断部１６ａ，１６ｂ，１７ａ，１７ｂが設けられているため、この部分から水がしみ込んで内部に浸入する可能性はあるが、この部分は、防水ケースＢを閉塞した状態では、蓋部３０によって覆われる部分であるため、収容物を入れて蓋をした状態では、この部分から水が浸入することはない。
【００３８】
また、折込部１８等には、それぞれ切込部１８ｂ等が設けられているため、本体部１０の組立の際には、折込部１８等を二つ折にし易くなるとともに、各面を構成する部分の間にそれぞれ折線部１１ａ等や切断部１６ａが設けられているため、本体部１０の組立が容易になる。また、蓋部３０においては、蓋側面部３３，３４に連なって形成された蓋折込部３６，３７が、蓋部３０の前面に位置するため、天井部３１、蓋側面部３３，３４の間およびそれらと前面を構成する蓋折込部３６，３７、蓋前面部３２、蓋形状維持部３５との間にも切れ目がなくなり蓋部３０から水が浸入することを防止することができる。したがって、防水ケースＢは蓋をした状態では、どの部分からも水が浸入することがない。
【００３９】
防水ケースＢはこのように構成されているため、例えば、書類が収容された防水ケースＢが保存される室内から出火がありスプリンクラーが作動した場合等でも、スプリンクラーの水が防水ケースＢ内に浸入して書類を濡らしてしまうといったことが生じなくなる。また、本体部１０と蓋部３０とが一体になっているため、蓋部３０が無くなってしまうといったことが生じない。さらに、本体部１０と蓋部３０とは、折線部１３ｃを介して連なっているため、簡単な操作で開け閉めすることができる。また、防水ケースＢは、段ボール２０の各部分を組み立てるだけで形成でき、金具や粘着テープ等は使用されていないため、廃棄する際に可燃物と不燃物に区分けする必要がなくなるとともに、再生処理してリサイクルする場合にも適している。
【００４０】
また、本発明に係る防水ケースＢは、前述した実施形態に限定するものでなく、技術的範囲内で適宜変更実施が可能である。例えば、前述した実施形態では、防水ケースＢが段ボール２０を組付けることによって形成されているが、この防水ケースＢを構成する材料としては、段ボールに限らず、耐水段ボールや他の紙、またプラスチック製のシート等を目的に応じて適宜使用することができる。
【図面の簡単な説明】
【図１】本発明の一実施形態による防水ケースを上面側から見た状態を示した斜視図である。
【図２】図１に示した防水ケースの蓋部を開けた状態を示した斜視図である。
【図３】図１に示した防水ケースの展開図である。
【図４】図４に示した段ボールの側面を構成する部分を折り曲げて底面部の周囲に立てようとする状態を示す平面図である。
【図５】図４に示した段ボールの側面を構成する部分を折り曲げて底面部の周囲に立てた状態を示す平面図である。
【図６】防水ケースの本体部を組み立てた状態を示した平面図である。
【図７】蓋部の蓋側面部および蓋折込部を折り曲げた状態を示した平面図である。
【図８】防水ケースを組み立てた状態を示した平面図である。
【符号の説明】
１０…本体部、１１…底面部、１２…前面部、１３…後面部、１４，１５…側面部、１６，１７…形状維持部、１８，１９，２１，２２…折込部、１８ｂ，１９ｂ，２１ｂ，２２ｂ…切込部、２０…段ボール、３０…蓋部、３１…天井部、３２…蓋前面部、３３，３４…蓋側面部、３５…蓋形状維持部、３６，３７…蓋折込部、Ｂ…防水ケース。
【図１】
2004331182.tif 000003
【図２】
2004331182.tif 000004
【図３】
2004331182.tif 000005
【図４】
2004331182.tif 000006
【図５】
2004331182.tif 000007
【図６】
2004331182.tif 000008
【図７】
2004331182.tif 000009
【図８】
2004331182.tif 000010